(57)【要約】【課題】従来の包装物下側保持用の可撓性シート状をした吊り持ち部材を備えるとともに、包装物上側保持用の可撓性シート状をした押さえ部材を備え、箱体内において吊り持ち部材と押さえ部材間に包装物を保持するものであり、確かに種々の形状の物品に対応できる。しかし、可撓性シートで保持するとはいえ、各包装物の形状、大きさによっては、確実に吊り持ち部材と押さえ部材間に保持することができなく、さらに繰り返し使用することができないという問題点があった。【解決手段】段ボールから成る外箱本体１の内側対向壁上部に第１広幅のベルトを固定し、前記ベルト上に内箱を載置した際、宙吊りになるようにし、さらに宙吊りの内箱３を上部から押さえるようにしてずれないように外箱本体の底部に一部を固定した第２広幅ベルトをバックルで係止できるように設けた宙吊り式包装箱【選択図】図１
2019119481.tif 000002
【特許請求の範囲】
【請求項１】
段ボールから成る外箱本体の内側対向壁上部に第１広幅のベルトを固定し、前記ベルト上に内箱を載置した際、宙吊りになるようにし、さらに宙吊りの内箱を上部から押さえるようにしてずれないように外箱本体の底部に一部を固定した第２広幅ベルトをバックルで係止できるように設けたことを特徴とする宙吊り式包装箱
【請求項２】
外箱本体の内側の対向壁上部に固定した第１広幅ベルトに換えて２本以上の細幅ベルトを設け、外箱本体の底部に固定した第２広幅ベルトに換えて、２本以上の細幅ベルトを設けたことを特徴とする請求項１に記載の宙吊り式包装箱
【請求項３】
請求項１の第１、第２広幅ベルト、または請求項２の第１、第２細幅ベルトには長さ調整機構を付加したことを特徴とする請求項１、または請求項２に記載の宙吊り式包装箱
【請求項４】
段ボールで作製した外箱本体及び内箱を防水性のある材料で作製したことを特徴とする請求項１〜請求項３のいずれか１項に記載の宙吊り式包装箱
【発明の詳細な説明】
【技術分野】
【０００１】
本発明は、主として平型印刷版、ドラム状印刷版等、その他、衝撃に敏感な精密機器の梱包に使用し、繰り返し使用が可能な宙吊り式包装箱に関するものである。
【背景技術】
【０００２】
従来、それぞれ開口が形成された一対の枠体と、これら枠体の開口にそれぞれ弾性変型可能に架設されたシートと、前記枠体が前記シートを相対向して挿入される外箱とを具備した包装装置。(例えば、特許文献１を参照)、また立方体形状をした箱体を構成する底板とその互いに平行な両側縁側に折り曲げ可能に一体に備えた前記箱体の両側面板とからなる箱底側面構成半体と、前記箱体を構成する頂板とその互いに平行な両側縁側に折り曲げ可能に一体に備えた前記箱体を構成する前後面板とからなる箱頂前後面構成半体とを有し、前記箱頂前後面構成半体の前後面板の下端縁及び前後縁を前記箱底側面構成半体の底板及び両側面板の内面縁部に連続配置に形成した凹溝に嵌合させて前記箱体が組立て形成され、前記箱底側面構成半体の両側面板の上端間に包装物下側保持用の可撓性シート状をした吊り持ち部材を備えるとともに、前記箱頂前後面構成半体の前後面板の下端間に包装物上側保持用の可撓性シート状をした押さえ部材を備え、且つ、前記箱底側面構成半体に、これと前記箱頂前後面構成半体を組み付けて箱体を構成した状態で該箱頂前後面構成半体の箱底側面構成半体内から抜け出るのを防止する半体間外れ止め部材を備え、前記両半体を組み合わせて箱体が組立てられた状態で、該箱体内において前記吊り持ち部材と押え部材間に包装物が保持されて宙吊り状態に収納されるようにしたいわゆるハンモック式方式である宙吊り式包装箱（例えば、特許文献２を参照）が存在している。
【先行技術文献】
【特許文献】
【０００３】
【特許文献１】特開平７−３３００３４号公報(特許請求の範囲の欄、発明の詳細な説明の欄、及び図１〜図５を参照)
【特許文献２】特開２００９−１６１２４２号公報(特許請求の範囲の欄、発明の詳細な説明の欄、及び図１〜図１２を参照)
【発明の概要】
【発明が解決しようとする課題】
【０００４】
従来技術の包装装置は、物品を包装する包装装置を緩衝体と、この緩衝体を挿入する外箱とで構成され、緩衝体は、段ボール紙の２ヶ所に開口部を形成するとともに、この段ボール紙に弾性変形可能で伸縮自在な樹脂フィルムを貼着して構成し、この段ボール紙を中央折線から折り返し、樹脂フィルム同士の間に衝撃に弱い物品を挟み込んで弾性的に支持する包装装置である。これは、従来の発泡スチロール製の緩衝体を用いる場合には、各物品の形状に合わせて、それぞれ緩衝体を形成する必要がある欠点を解消したものであるが、確かに種々の形状の物品に対応できる技術である。しかし、以上のような構成であるので、繰り返し使用することができないという問題点があった。
そこで、本発明は、内箱内に収納できる物品であればどのような物品であれ、衝撃を吸収し、安全に宙吊りにして安定した緩衝性能が奏される宙吊り式包装箱を提供することを目的としたものである。
【課題を解決するための手段】
【０００５】
上記目的を達成することができる本発明の第１発明は、請求項１に記載された宙吊り式包装箱であり、次のようなものである。
段ボールから成る外箱本体の内側対向壁上部に第１広幅のベルトを固定し、前記ベルト上に内箱を載置した際、宙吊りになるようにし、さらに宙吊りの内箱を上部から押さえるようにしてずれないように、外箱本体の底部に一部を固定した第２広幅ベルトをバックルで係止できるように設けた構成である。
【０００６】
上記目的を達成することができる本発明の第２発明は、請求項２に記載された宙吊り式包装箱であり、次のようなものである。
請求項１に記載の宙吊り式包装箱において、外箱本体の内側の対向壁上部に固定した第１広幅ベルトに換えて２本以上の細幅ベルトを設け、外箱本体の底部に固定した第２広幅ベルトに換えて、２本以上の細幅ベルトを設けた構成である。
【０００７】
上記目的を達成することができる本発明の第３発明は、請求項３に記載された宙吊り式包装箱であり、次のようなものである。
請求項１、または請求項２に記載の宙吊り式包装箱において、請求項１の第１、第２広幅ベルト、または請求項２の第１、第２細幅ベルトには長さ調整機構を付加した構成である。
【０００８】
上記目的を達成することができる本発明の第４発明は、請求項４に記載された宙吊り式包装箱であり、次のようなものである。
請求項１〜請求項３のいずれか１項に記載の発明に加えて、段ボールで作製した外箱本体及び内箱を防水性のある材料で作製した構成である。
【発明の効果】
【０００９】
本発明に係る宙吊り式包装箱は、上記説明のような構成を有するので、以下に記載する効果を奏する。
（１）外箱本体の内側の対向壁上部に固定した第１ベルトによって、収納物品を安定した宙吊り状態にできるため、収納物品を全方向からの衝撃、あるいは機械的圧力に対して有効に緩衝性能を発揮するものである。
（２）従来の内容物を緩衝材で囲繞した包装容器では衝撃があると、緩衝材を介して収納物品に衝撃が伝わり、特に精密な収納物品では完全な緩衝機能を奏さないものであるのに対し、本発明は、外箱の内壁、及び底部、上部の全ての六面に空間を有して収納物品が宙吊りになるので、収納物品に衝撃が伝達しないものである。
（３）本願発明の宙吊り式包装箱の外箱本体は繰り返し使用できるものである。なお、内箱は専用でも良いし、繰り返し使用しても良いものである。
【図面の簡単な説明】
【００１０】
【図１】本発明の宙吊り式包装箱の一実施例を示す概略平面図である。
【図２】本発明の宙吊り式包装箱の一実施例を示す概略正面図である。
【図３】本発明の宙吊り式包装箱の一実施例を示す概略側面図である。
【発明を実施するための形態】
【００１１】
段ボールから成る外箱本体の内側対向壁上部に第１広幅のベルトを固定し、前記ベルト上に内箱を載置した際、宙吊りになるようにし、さらに宙吊りの内箱を上部から押さえるようにしてずれないように外箱本体の底部に一部を固定した第２広幅ベルトをバックルで係止できるように設けた宙吊り式包装箱である。
【実施例１】
【００１２】
以下、図面を用いて本発明の一実施例に関して説明する。
図１は、本発明の一実施例を示す概略平面図、図２は概略正面図、図３は概略側面図である。
外箱本体１は、段ボール（防水加工を施した段ボールやプラスチック製段ボールも含む）から成り、収納物品によって各種形状を採用できるが、一般的なものは矩形体、正方形体である。この外箱本体１には、蓋体（図示せず）が別体、あるいはフラップ片として蓋体が形成されている。
前記外箱本体１の対向する内壁上部に第１ベルト２（図１〜図３で示した実施例は、第１細幅ベルトを２本設けたものが図示されている）を接着やビス止め等の手段で一端部を固定してある。この２本の第１細幅ベルトの長さは、内箱を支持した際、略凹形状に宙吊りで張られたようになるものである。すなわち、収納物品を収容した内箱３を２本の第１細幅ベルトに載置すると内箱は宙吊り状態に支持されるものである。
さらに外箱本体１の底部に接着やビス止め等の手段で一端部を固定してあり、フリーになった他端部はバックル等の係止手段を設けた第２ベルト４（図１〜図３で示した実施例は第２細幅ベルト）で内箱３を上方に飛び跳ねることを防止するように上部から押さえつけるものである。
なお、第１ベルト２と第２ベルト４の取り付け位置を微調整できるように、前記外箱本体１の対向する内壁上部への第１ベルト２の止め手段と外箱本体１の底部への第２ベルト４の止め手段で固定している実施例について説明したが、これにスライド機構を介して固定することにより、スライド機構を利用して、位置を自在に微調整することで一番安定した宙吊り状態でバランスを得るようにすることができる。
また、以上説明してある第１ベルト２、第２ベルト４は、図示の実施例では、第１ベルト２、第２ベルト４を平行に設けたものが示されているが、第１ベルト２、第２ベルト４を交差するように、外箱本体１に左右と前後に設けるようにしても良いことはいうまでもない。
特に、第１ベルト２と第２ベルト４が１本ずつの場合、平行に設けると重なってしまうので、少し角度をつけて斜めに交差するように取り付ける必要がある。
なお、第１ベルト２、第２ベルト４の幅は、内箱を支持する際、安定して支持できる幅であれば、各幅のベルトを採用することができる。
例えば、第１ベルト２と第２ベルト４が１本ずつの場合は、幅広のベルトを採用しているので、収納物を安定して宙吊りすることができる。なお、各々のベルト２、４の幅が異なっていても良いことは言うまでもない。
また、第１ベルト２、第２ベルト４の本数は、１本ずつでも良いし、図示のように２本ずつでも良いし、それ以上の本数でも良いことは言うまでもない。
また、第１ベルト２の本数が１本、第２ベルト４の本数を２本といったように、第１ベルト２と第２ベルト４の本数が異なっても良いものである。
第１ベルト２、第２ベルト４は、本数が多くなれば外箱本体１に固定するのに時間を要するが、ベルト自体の材料費は廉価にできる。
また、ベルトの材質については、特に限定されるものではなく、織布、樹脂等の種々の材質を採用することができる。
また、内箱に収納物品を挿入する際、緩衝枠や支持枠を介して内容物が移動しないように収納されていることはいうまでもない。
【産業上の利用可能性】
【００１３】
内箱内に収納できる収納物品としては、衝撃に弱いものであれば何にでも利用することができるものである。
【符号の説明】
【００１４】
１・・・・外箱本体
２・・・・第１ベルト
３・・・・内箱
４・・・・第２ベルト
【図１】
2019119481.tif 000003
【図２】
2019119481.tif 000004
【図３】
2019119481.tif 000005